(57)【要約】【課題】  従来の画像分類システムでは、撮影された画像が古い場合、画像自体の表示や、画像を格納したフォルダ名等から、撮影したときの状況を容易に思い出すことができない場合がある。【解決手段】  十字ボタンおよび決定ボタンにより選択された画像をモニタ１１に表示する際、Ｓ１３で解析手段により解析された撮影環境に応じた情報が、Ｓ１５で情報出力手段により出力される。このため、撮影された画像が古く、その画像自体の表示や、画像を格納したフォルダ名等を見ただけでは直ぐに撮影時の状況を思い出せない場合でも、例えば、図３に示すように、情報出力手段によりモニタ１１に付箋４１が表示されたりスピーカ３７から風鈴の音が出音されたりして出力される撮影環境に応じた情報により、画像を撮影した時の状況を容易に思い出すことができる。【選択図】  図２
2011139237.tif 000002
【特許請求の範囲】
【請求項１】
撮影時の撮影環境情報を撮像画像と共に記憶する記憶手段と、
前記記憶手段に記憶された複数の画像から任意の画像を選択する選択手段と、
前記選択手段により選択された画像の前記記憶手段に記憶された撮影時の撮影環境情報に基づいて撮影環境を解析する解析手段と、
前記選択手段により選択された画像を表示する表示手段と、  
前記選択手段により選択された画像を前記表示手段に表示する際、前記解析手段により解析された撮影環境に応じた情報を出力する情報出力手段と
を備える表示装置。
【請求項２】
請求項１に記載の表示装置において、
被写体を撮像する撮像手段と、
前記撮像手段を用いた撮影時の前記撮影環境情報を取得する撮影環境情報取得手段と、
前記撮像手段により撮像された撮影画像を前記撮影環境情報取得手段により取得された撮影時の前記撮影環境情報と共に前記記憶手段に記録する記録手段と
を備える表示装置。
【請求項３】
請求項１または請求項２に記載の表示装置において、
前記撮影環境情報取得手段により取得される前記撮影環境情報が急変する前記撮影環境情報を検出する検出手段を備え、
前記記録手段は、前記検出手段により急変する前記撮影環境情報が検出された場合、撮影画像と共に急変する前記撮影環境情報の検出結果情報を前記記憶手段に記録し、
前記情報出力手段は、前記選択手段により選択された画像を前記表示手段に表示する際、前記検出結果情報を出力する
ことを特徴とする表示装置。
【請求項４】
請求項１から請求項３のいずれか１項に記載の表示装置において、
前記情報出力手段は、前記撮影環境情報取得手段により取得された前記撮影環境情報を出力する
ことを特徴とする表示装置。
【発明の詳細な説明】
【技術分野】
【０００１】
本発明は、記憶手段に記憶された撮影画像を表示する表示手段を備えた表示装置に関する。
【背景技術】
【０００２】
従来、この種の表示装置としては、例えば、特許文献１に開示された画像分類システムがある。この画像分類システムでは、撮影された画像ファイルの分類によけいな手間や時間をかけることもなく、分類基準情報（例えば「天気情報」）に含まれる分類項目（例えば「晴れ」「曇り」、「雨」等）が等しいものどうしがひとまとまりとなるように、画像ファイルが分類される。そして、分類基準情報に含まれる分類項目に対応したフォルダ名のフォルダが作成される。従って、分類後にフォルダ名からそのフォルダ内に格納された画像ファイルを類推することができ、所望画像の検索を容易にすることができる。
【先行技術文献】
【特許文献】
【０００３】
【特許文献１】特開２００３−２７１６１７号公報
【発明の概要】
【発明が解決しようとする課題】
【０００４】
しかしながら、上記従来の画像分類システムでは、撮影された画像が古い場合、画像自体の表示や、画像を格納したフォルダ名等から、撮影したときの状況を容易に思い出すことができない場合がある。また、この記憶の曖昧な撮影画像を単に見ても、思うところも少なく、味気ない。
【課題を解決するための手段】
【０００５】
本発明はこのような課題を解決するためになされたもので、撮影時  の撮影環境情報を撮像画像と共に記憶する記憶手段と、記憶手段に記憶された複数の画像から任意の画像を選択する選択手段と、選択手段により選択された画像の記憶手段に記憶された撮影時の撮影環境情報に基づいて撮影環境を解析する解析手段と、選択手段により選択された画像を表示する表示手段と、選択手段により選択された画像を表示手段に表示する際、解析手段により解析された撮影環境に応じた情報を出力する情報出力手段とを備えて、表示装置を構成した。
【発明の効果】
【０００６】
本発明による撮影装置によれば、撮影された画像が古く、その画像自体の表示や、画像を格納したフォルダ名等を見ただけでは直ぐに撮影時の状況を思い出せない場合でも、情報出力手段により表示手段に表示されたり出音されたりして出力される撮影環境に応じた情報により、画像を撮影した時の状況を容易に思い出すことができる。従って、時間が経った後に、古い撮影画像を見る場合であっても、解析手段により解析された撮影環境に応じた情報により、撮影時の状況が思い起こされて当時の状況が懐かしまれ、撮影画像鑑賞の興趣が増す。また、撮影された多数の画像を整理する際、情報出力手段により出力される撮影環境に応じた情報により、各画像の撮影時の状況を思い出すことで、多数の画像の整理も容易に行える。
【図面の簡単な説明】
【０００７】
【図１】本発明の一実施の形態によるデジタルカメラの電気回路構成の概略を示すブロック図である。
【図２】（ａ）は、図１に示すデジタルカメラのＣＰＵによって行われる撮影処理の概略を示すフローチャート、（ｂ）は、ＣＰＵによって行われる表示処理の概略を示すフローチャートである。
【図３】図２（ｂ）に示す表示処理において撮影画像が表示されたモニタを示す図である。
【図４】図２（ｂ）に示す表示処理において複数の撮影画像がサムネイル一覧表示されたモニタを示す図である。
【発明を実施するための形態】
【０００８】
次に、本発明による表示装置をデジタルカメラに適用した場合における、本発明を実施するための一形態について説明する。
【０００９】
図１は、この一実施の形態によるデジタルカメラ１の電気回路構成の概略を示すブロック図である。
【００１０】
デジタルカメラ１は、ＣＰＵ（Central Processing Unit）２１、ＥＥＰＲＯＭ（Electrically Erasable Programmable Ｒead Ｏnly Ｍemory）などで構成される不揮発性メモリ２２、およびＲＡＭ（Random Access Memory）などで構成されるバッファメモリ２３を備えている。不揮発性メモリ２２には、ＣＰＵ２１が種々の制御を行う際に参照される制御プログラムなどが格納されている。ＣＰＵ２１は、不揮発性メモリ２２に格納されている制御プログラムに従い、バッファメモリ２３を一時記憶作業領域として回路各部の制御を行い、デジタルカメラ１の種々の装置機能を作動させる。
【００１１】
被写体からの光は、光学系を構成するレンズ３を介してデジタルカメラ１内に取り込まれる。デジタルカメラ１内に取り込まれた被写体光は、撮像部２５の撮像面２５ａ上に被写体像を投影する。撮像部２５は、被写体を撮像する撮像手段を構成し、ＣＣＤ（Charge Coupled Device）やＣＭＯＳ（Complementary Metal Oxide Semiconductor）などからなる。撮像部２５の撮像面２５ａ上に結像した被写体像はアナログの撮像信号に変換され、Ａ／Ｄ変換部２６においてデジタル信号に変換される。画像処理部２７は、Ａ／Ｄ変換部２６でデジタル信号に変換された撮像信号をバス２８を介して取得し、取得した撮像信号に対して、ホワイトバランス処理やガンマ補正などの画像処理を行い、撮影された画像の画像データを生成する。画像処理部２７によって生成された画像データは、圧縮処理が施されてバッファメモリ２３に一時格納されると共に、Ｉ／Ｆ部２９を介して、図示しないスロットに着脱される、記憶媒体を構成するメモリカード３０に撮影画像ファイルとして記録される。
【００１２】
表示装置を構成するデジタルカメラ１はモニタ１１を備えており、ＣＰＵ２１は、モニタ１１に、撮像部２５の撮像面２５ａで撮像される被写体像を、構図確認用のスルー画として表示させる。ＣＰＵ２１にはレリーズボタン５が接続されている。レリーズボタン５は、半押しされるとオートフォーカス（ＡＦ）機能を作動させてレンズ３を移動させ、全押しされると予め設定されたシャッター速度で図示しないシャッターを開かせ、被写体像を撮像部２５の撮像面２５ａに所定時間露光させて被写体の撮影を行わせる。
【００１３】
メモリカード３０に記録された撮影画像は、不図示の再生ボタンの操作により、モニタ１１にサムネイル画像として一覧表示される。一覧表示された撮影画像は、不図示の十字ボタンおよび決定ボタンの操作により、任意のものが選択される。十字ボタンおよび決定ボタンは、メモリカード３０に記憶された複数の画像から任意の画像を選択する選択手段を構成し、モニタ１１は、選択手段により選択された画像を表示する表示手段を構成する。
【００１４】
ＣＰＵ２１には、温度計３１、湿度計３２、高度計３３、ＧＰＳ（全地球測位システム）モジュール３４、および測光計３５が接続されている。温度計３１および湿度計３２は、撮像部２５を用いた撮影時のデジタルカメラ１の周囲の温度および湿度を測定する。高度計３３は、撮影時のデジタルカメラ１の高度を測定し、ＧＰＳモジュール３４は、デジタルカメラ１の位置情報をＧＰＳ衛星から受信する測位信号を基に収集する。測光計３５は、撮影時におけるデジタルカメラ１の周囲の明るさを測定する。また、マイク３６およびスピーカ３７は音声制御回路３８によって制御され、マイク３６は、撮影時における周囲の騒音レベルを測定し、スピーカ３７は音声を出力する。これら温度計３１、湿度計３２、高度計３３、ＧＰＳモジュール３４、測光計３５、およびマイク３６は、撮像部２５を用いた撮影時の撮影環境情報を、温度、湿度、高度、位置情報、明るさ、および騒音レベルとして取得する撮影環境情報取得手段を構成する。
【００１５】
撮影時に生成された撮影画像ファイルは、Ｅｘｉｆ（Exchangeable Image File Format）規格に従ったＥｘｉｆファイル・フォーマットで作成されており、撮影環境情報取得手段によって取得された撮影環境情報はＣＰＵ２１によって撮影画像ファイルのヘッダ部に記録される。メモリカード３０は、撮影時の撮影環境情報を撮影画像と共に記憶する記憶手段を構成し、また、ＣＰＵ２１は、撮像部２５により撮像された撮影画像を撮影環境情報取得手段により取得された撮影時の撮影環境情報と共にメモリカード３０に記録する記録手段を構成する。撮影画像ファイルのヘッダ部には、上述した撮影環境情報の他、撮影日時や、撮影時にデジタルカメラ１に設定されていた撮影条件なども記録される。この撮影条件には、レリーズボタン５の半押し操作により作動したＡＦ機能によって取得された、例えば、撮影者から被写体までの撮影距離といったＡＦ情報が含まれる。また、オートモードでの撮影時、ＣＰＵ２１は、撮影画像の内容を解析するシーン解析を行う。例えば、海や夕焼けを撮影する場合、ＣＰＵ２１は、シーン解析により、撮影画像に海や夕焼けが写っていること認識し、そのシーンに適した撮影条件をデジタルカメラ１に設定する。ＣＰＵ２１によって解析された撮影画像のシーン解析結果も撮影画像ファイルのヘッダ部に記録される。
【００１６】
ＣＰＵ２１は、メモリカード３０に記録された撮影画像を再生ボタン等の操作に応じて選択してモニタ１１に表示させる際、認識したシーン解析情報を併用して、または併用せずに、撮影画像のヘッダ部に記録されている上述した撮影情報環境や撮影条件などに基づいて、選択された撮影画像の撮影時の撮影環境を解析する。ＣＰＵ２１は、選択手段により選択された撮影画像の、メモリカード３０に記憶された撮影時の撮影環境情報に基づいて、撮影環境を解析する解析手段を構成する。また、ＣＰＵ２１は、選択手段により選択された画像をモニタ１１に表示する際、情報出力手段を構成するモニタ１１やスピーカ３７等により、解析手段により解析された撮影環境に応じた情報を例えば文字や音声等として出力する。この撮影環境に応じた情報は、予め文字情報や音声情報として不揮発性メモリ２２などに記録されている。また、ＣＰＵ２１は、撮影環境情報取得手段により取得される撮影環境情報が急変する撮影環境情報を検出する検出手段を構成する。記録手段を構成するＣＰＵ２１は、検出手段により急変する撮影環境情報が検出された場合、撮影画像と共に、急変する撮影環境情報の検出結果情報をメモリカード３０に記録する。例えば、１日の一定時間内で複数回撮影を行った場合において、複数回撮影の途中の撮影時にだけ温度が下がったり、高度が変化していた場合、つまり、撮影環境が時間軸上で急に変化した場合、ＣＰＵ２１は、撮影環境が急変したと認識して、この急変した撮影画像ファイルのヘッダ部に、撮影環境が急変したことを意味する急変データを撮影環境情報の検出結果情報として付加して、撮影画像ファイルをメモリカード３０に記録する。また、情報出力手段を構成するモニタ１１は、選択手段により選択された画像を表示する際、この検出結果情報を出力する。
【００１７】
図２（ａ）は、デジタルカメラ１のＣＰＵ２１によって行われる撮影処理の概略を示すフローチャートである。
【００１８】
撮影者がレリーズボタン５を押すと、ＣＰＵ２１は、ステップ（以下、Ｓと記す）１において、撮像部２５に結像する被写体を撮像する撮像処理を行い、画像処理部２７によって撮影画像を生成する。次に、ＣＰＵ２１は、Ｓ２において、撮影画像の圧縮処理を行い、ＪＰＥＧ形式等の撮影画像を生成する。このＳ１およびＳ２の処理と並列して、ＣＰＵ２１は、Ｓ３において、温度計３１や湿度計３２等の撮影環境情報取得手段により、デジタルカメラ１の撮影環境情報を取得する。また、同時に、ＣＰＵ２１は、撮影環境が急変したと認識した場合、上述した急変データを生成する。次に、ＣＰＵ２１は、Ｓ４において、Ｓ３の処理で取得した撮影環境情報や、撮影日時、撮影時にデジタルカメラ１に設定されていた撮影条件、シーン解析結果、急変データなどの情報を含んだ、所定のデータ形式のタグ（ＴＡＧ）を生成する。その後、ＣＰＵ２１は、Ｓ５において、Ｓ４の処理で生成されたタグを、Ｓ２の処理で圧縮された撮影画像のヘッダ部に記録して撮影画像ファイルを生成し、メモリカード３０に記録する。
【００１９】
なお、撮影画像ファイルのヘッダ部に撮影環境情報を含むタグを保存する代わりに、メモリカード３０内に特定のファイルを作成し、この特定のファイルに撮影環境情報を含むタグを保存する構成であってもよい。この場合、撮影画像をモニタ１１に表示する際、ＣＰＵ２１は、この特定のファイルから、この撮影画像に関連付けられたタグの撮影環境情報を取得して、撮影環境の解析を行うことになる。
【００２０】
同図（ｂ）は、ＣＰＵ２１によって行われる表示処理の概略を示すフローチャートである。
【００２１】
使用者がメモリカード３０に記録された撮影画像を選択してモニタ１１に再生する際、ＣＰＵ２１は、Ｓ１１において、選択された撮影画像についてＳ２の処理で行われた圧縮を伸張する伸張処理を行い、撮影画像を再生する。このＳ１１の処理と並列して、ＣＰＵ２１は、Ｓ１２において、撮影画像のヘッダ部のタグに収められている撮影環境情報等の情報を取得する。次に、ＣＰＵ２１は、Ｓ１３において、Ｓ１２で取得した撮影環境情報等の情報から、選択された撮影画像の撮影時における撮影環境の解析を行う。その後、ＣＰＵ２１は、Ｓ１４において、Ｓ１３で解析した撮影環境の解析結果に基づいて、モニタ１１に表示する表示内容やスピーカ３７から出力する出音内容を決定し、出力する撮影環境に応じた情報の内容を決定する。この撮影環境に応じた情報は、Ｓ１３で解析される撮影環境に関連付けられて、タイトルや注釈等の文字情報や音声情報などとして予め不揮発性メモリ２２に記憶されている。ＣＰＵ２１は、Ｓ１３で解析した撮影環境に基づいて不揮発性メモリ２２を検索し、撮影環境に応じた情報を取得する。
【００２２】
例えば、Ｓ１１で伸張処理が行われた撮影画像が図３に示す打ち上げ花火の撮影画像の場合、この撮影画像ファイルのヘッダ部に格納された撮影環境情報の気温３０度、撮影日時の８月の午後８時、およびシーン解析により得られた花火のシーン解析結果に基づいて、ＣＰＵ２１は、Ｓ１３で、選択された撮影画像の撮影環境の解析結果が「暑い夏の夜の花火」であることを認識する。そして、この解析結果に基づいて、Ｓ１４で不揮発性メモリ２２を検索し、撮影環境に応じた情報である、モニタ１１に表示する「暑い夏の夜の花火」の付箋情報や、スピーカ３７から出力する風鈴の音の音声情報を取得する。
【００２３】
Ｓ１１およびＳ１２〜Ｓ１４の処理の後、ＣＰＵ２１は、Ｓ１５において、使用者が選択手段により選択した撮影画像をモニタ１１に表示すると同時に、Ｓ１４の処理で決定した撮影環境に応じた情報を出力する。例えば、図３に示すように、打ち上げ花火の撮影画像がモニタ１１に表示される際、文字「暑い夏の夜の花火」が付箋４１として表示され、風鈴の音の音声がスピーカ３７から出力される。
【００２４】
また、例えば、撮影画像ファイルのヘッダ部に格納された撮影環境情報の気温３０度、撮影日時の８月の午後２時に基づいて、ＣＰＵ２１は、Ｓ１３で、この撮影画像の撮影環境の解析結果が「夏の暑い午後」であることを認識する。そして、この解析結果に基づいて、Ｓ１４で不揮発性メモリ２２を検索し、撮影環境に応じた情報である、モニタ１１に表示する「夏の暑い午後」の付箋情報を取得する。
【００２５】
また、例えば、撮影画像ファイルのヘッダ部に格納された撮影環境情報の気温２２度、湿度９０％、撮影日時の６月、ＡＦ情報の撮影距離が無限遠であることに基づいて、ＣＰＵ２１は、Ｓ１３で、この撮影画像の撮影環境の解析結果が「梅雨時の風景」であることを認識する。そして、この解析結果に基づいて、Ｓ１４で不揮発性メモリ２２を検索し、撮影環境に応じた情報である、モニタ１１に表示する「梅雨時の風景」の付箋情報を取得する。
【００２６】
また、例えば、海が撮影された撮影画像ファイルのヘッダ部に格納された撮影環境情報の気温３０度、撮影日時の８月の午後２時、シーン解析により得られた海のシーン解析結果に基づいて、ＣＰＵ２１は、Ｓ１３で、この撮影画像の撮影環境の解析結果が「夏の暑い海」であることを認識する。そして、この解析結果に基づいて、Ｓ１４で不揮発性メモリ２２を検索し、撮影環境に応じた情報である、モニタ１１に表示する「夏の暑い海」の付箋情報を取得する。
【００２７】
また、例えば、夕焼けが撮影された撮影画像ファイルのヘッダ部に格納された撮影環境情報の気温２２度、湿度９０％、ＡＦ情報の撮影距離が無限遠であること、およびシーン解析により得られた夕焼けのシーン解析結果に基づいて、ＣＰＵ２１は、Ｓ１３で、この撮影画像の撮影環境の解析結果が「梅雨時の夕暮れ」であることを認識する。そして、この解析結果に基づいて、Ｓ１４で不揮発性メモリ２２を検索し、撮影環境に応じた情報である、モニタ１１に表示する「梅雨時の夕暮れ」の付箋情報を取得する。
【００２８】
上述したように取得された「夏の暑い午後」、「梅雨時の風景」、「夏の暑い海」および「梅雨時の夕暮れ」といった撮影環境に応じた情報は、付箋としてモニタ１１に表示される。
【００２９】
図４は、撮影画像の再生時に、複数の撮影画像がサムネイル一覧表示されたモニタ１１を示す図である。
【００３０】
デジタルカメラ１の使用者が、複数の撮影画像をモニタ１１にサムネイル一覧表示する際、複数の撮影画像の一部の撮影画像５１のヘッダ部の中に、上述した撮影環境情報の検出結果情報として急変データが含まれていることをＣＰＵ２１が発見した場合、ＣＰＵ２１は、この撮影画像５１が撮影環境が急変した場合に撮影された画像であると認識して、、同図に示すように「！」のマーク５２を急変した撮影画像５１に重畳してモニタ１１に表示する。
【００３１】
このような本実施形態によるデジタルカメラ１のような表示装置によれば、十字ボタンおよび決定ボタンにより選択された画像をモニタ１１に表示する際、図２（ｂ）、Ｓ１３で解析手段により解析された撮影環境に応じた情報が、Ｓ１５で情報出力手段により出力される。このため、撮影された画像が古く、その画像自体の表示や、画像を格納したフォルダ名等を見ただけでは直ぐに撮影時の状況を思い出せない場合でも、例えば、図３に示すように、情報出力手段によりモニタ１１に付箋４１が表示されたりスピーカ３７から風鈴の音が出音されたりして出力される撮影環境に応じた情報により、画像を撮影した時の状況を容易に思い出すことができる。従って、時間が経った後に、古い撮影画像を見る場合であっても、解析手段により解析された撮影環境に応じた情報により、撮影時の状況が思い起こされて当時の状況が懐かしまれ、撮影画像鑑賞の興趣が増す。また、撮影された多数の画像を整理する際、情報出力手段により出力される撮影環境に応じた情報により、各画像の撮影時の状況を思い出すことで、多数の画像の整理も容易に行える。
【００３２】
また、本実施形態によるデジタルカメラ１によれば、ＣＰＵ２１により急変する撮影環境情報が検出された場合、記録手段により、撮影画像５１と共に、急変する撮影環境情報の検出結果情報がメモリカード３０に記録され、選択手段により選択された画像５１がモニタ１１に表示される際、検出結果情報が情報出力手段により例えば「！」のマーク５２として出力される。このため、使用者は、検出結果情報の出力により、多数の撮影画像の中から、急変する撮影環境情報が検出された撮影画像５１をシーンの特異点として容易に認識することができ、重要度が高い画像や失敗写真の可能性が高い画像を容易に発見できる。
【００３３】
なお、本実施形態では、デジタルカメラ１に内蔵された温度計３１、湿度計３２等が、温度、湿度等の撮影時の撮影環境情報を取得する撮影環境情報取得手段を構成していたが、デジタルカメラ１に接続された外付けのセンサ等が撮影時の撮影環境情報を取得する構成であってもよい。
【００３４】
また、本実施形態では、図３に示すように、モニタ１１に撮影画像が表示される際、撮影環境に応じた情報が付箋４１として表示される例について説明したが、モニタ１１の画面下を流れるテロップとして表示されるようにしてもよい。
【００３５】
また、本実施形態では、情報出力手段が、解析手段により解析された撮影環境に応じた情報を例えば、図３に示すように出力する構成であったが、温度計３１や湿度計３２等の撮影環境情報取得手段により取得された撮影環境情報を単純に撮影画像に重ね合わせて出力する構成であってもよい。この構成によれば、撮影環境情報取得手段により取得された撮影環境情報、例えば、気温や湿度が、解析手段により解析された撮影環境に応じた情報と共に、情報出力手段を構成する例えばモニタ１１により出力される。このため、選択手段により選択された画像がモニタ１１に表示される際、使用者は、情報出力手段により出力された、解析手段による撮影環境の解析の元になる撮影環境情報、例えば温度や湿度等から、画像を撮影した時の状況をより詳細に把握することができて、画像を撮影した時の状況をより容易に思い出すことができる。
【００３６】
また、本実施形態では、撮影環境に応じた情報は、Ｓ１３で解析される撮影環境に関連付けられて、タイトルや注釈等の文字情報や音声情報などとして予め不揮発性メモリ２２に記憶されていたが、使用者が自ら撮影環境に応じた情報、例えば「暑い夏の夜の花火」の付箋４１や風鈴の音の音声を入力できる構成であってもよい。また、この撮影環境に応じた情報を入力する際、その撮影環境に応じた複数の候補、例えば、「暑い夏の夜の花火」や「真夏日の夜の打ち上げ花火」がモニタ１１に表示され、この複数の候補の中から所望の候補を使用者が１つ選択できる構成であってもよい。
【産業上の利用可能性】
【００３７】
上記実施形態においては、本発明の表示装置をデジタルカメラに適用した場合について説明したが、ビデオカメラや、ＰＣ（パーソナルコンピュータ）、表示機能のみを備えたフォトフレーム等のその他の表示装置にも適用することが可能である。このような表示装置に本発明を適用した場合においても、上記実施形態と同様な作用効果が奏される。
【符号の説明】
【００３８】
１…デジタルカメラ、１１…モニタ、２１…ＣＰＵ、３０…メモリカード、３１…温度計、３２…湿度計、３３…高度計、３４…ＧＰＳモジュール、３５…測光計、３６…マイク、３７…スピーカ、４１…付箋、５２… 「！」のマーク
【図１】
2011139237.tif 000003
【図２】
2011139237.tif 000004
【図３】
2011139237.tif 000005
【図４】
2011139237.tif 000006